(57)【特許請求の範囲】
【請求項１】
電源プラグが複数の電源コンセントのいずれかに挿入されたときに電源を供給するか否かを制御するための電源供給システムであって、
電力線搬送通信によって前記電源プラグに電源供給が許容されていることを示す識別情報とプラグ番号とを設定し、前記電源コンセントに前記識別情報とコンセント番号とを設定するための設定手段を備え、
前記電源プラグは、
前記設定手段および前記電源コンセントとの間で電力線搬送通信を行うためのプラグ側電力線搬送通信手段と、
前記電源コンセントに挿入することによって前記電源コンセントから供給される電源を受け、前記プラグ側電力線搬送通信手段によって前記電力線搬送通信で電源供給を許容することを示す識別情報を前記電源コンセントに送信するプラグ側制御手段とを備え、
前記電源コンセントは、
前記電源プラグとの間で電力線搬送通信を行うためのコンセント側電力線搬送通信手段と、
前記電源プラグに電源を供給し、前記コンセント側電力線搬送通信手段を介して前記電力線搬送通信により前記電源プラグから電源供給が許容されていることを示す識別情報が送信されてきたことに応じて、前記送信されてきた識別情報と予め定める識別情報とに基づいて、前記電源プラグへの前記電源の供給または遮断を制御するコンセント側制御手段とを備え、
前記コンセント側制御手段は、前記電源プラグが電源の供給を許容されているか否かを示す識別データ、および、予め割り当てられた識別データに基づいて前記電源プラグに対する電源の供給又は遮断を行い、
前記識別データは、前記プラグ側電力線搬送通信手段から送信され、前記電源プラグが前記電力線を介して前記電源プラグから電力を供給してもよいか否かを示すデータである、電源供給システム。
【請求項２】
前記電源コンセントは、前記電源プラグが挿入されたことを検知する検知手段を含み、
前記コンセント側制御手段は、前記検知手段によって前記電源プラグが挿入されたことが検知されたことに応じて、前記電源プラグとの間で前記コンセント側電力線搬送通信手段により前記電力線搬送通信を確立する通信確立手段を含む、請求項１に記載の電源供給システム。
【請求項３】
前記コンセント側制御手段は、
前記電源プラグへの電源の供給または遮断を制御する供給遮断制御部と、
前記検知手段によって前記電源プラグの挿入されたことが検知されたことに応じて、前記供給遮断制御部により前記電源の供給を開始させ、前記通信確立手段によって前記電力線搬送通信を確立した後、前記検知手段が前記電源プラグの挿入されていないことを検知したことに応じて、前記供給遮断制御部によって、前記電源プラグへの電源の供給を遮断するように制御する電源供給制御手段とを含む、請求項２に記載の電源供給システム。
【請求項４】
前記コンセント側制御手段は、前記電源供給が許容されていることを示す識別情報を記憶するコンセント側記憶手段を含み、
前記コンセント側制御手段は、前記電源プラグから送信されてきた識別情報と前記コンセント側記憶手段に記憶されている識別情報との一致を判別する、請求項１〜３のいずれかに記載の電源供給システム。
【請求項５】
前記電源プラグは、前記電源供給が許容されていることを示す識別情報を記憶するプラグ側記憶手段を備え、
前記設定手段は、前記コンセント側記憶手段および、前記プラグ側記憶手段に記憶させる前記電源供給が許容されていることを示す識別情報を設定する、請求項１〜４のいずれかに記載の電源供給システム。
【請求項６】
前記電源供給システムはコンピュータを含み、
前記電源コンセントは、
ネットワークに接続するためのコンセント側ネットワークインターフェース部と、
前記コンセント側ネットワークインターフェース部を介して、前記電源供給が許容されていることを示す識別情報を前記コンピュータへ送信する送信手段とを備え、
前記コンピュータは、
前記ネットワークに接続するためのコンピュータ側ネットワークインターフェース部と、
前記電源供給が許容されていることを示す識別情報に関連する所定の情報を記憶するコンピュータ側記憶手段と、
前記送信手段により送信された前記電源供給が許容されていることを示す識別情報が、前記コンピュータ側記憶手段により記憶した前記所定の情報に該当するか否かを判断する判断手段と、
前記判断手段により判断した結果に応じて、所定の動作を実行する実行手段とを備える、請求項１〜５のいずれかに記載の電源供給システム。
【発明の詳細な説明】
【技術分野】
【０００１】
この発明は、例えば、屋外でプラグインハイブリッド車のバッテリを充電するために電源を供給するための電源供給システムに関する。
【背景技術】
【０００２】
電気自動車は、ガソリンエンジンとバッテリから電力をモータに供給することにより走行可能になっている。最近では、家庭のコンセントにプラグを挿入してバッテリを充電することが可能なプラグインハイブリッド車も実用化されようとしている。プラグインハイブリッド車のバッテリを家庭で充電するためには、家屋の屋外に電源コンセントを設ける必要がある。しかし、屋外に電源コンセントを設置すると、第３者に盗電されるおそれがある。特に、マンション等の共同住宅においては、駐車場が家屋から離れている場合が多く、盗電されるおそれが高くなる。
【０００３】
特開２００６−２４４８１８号公報（特許文献１）には、このような盗電を防止するための電源供給システムについて記載されている。この電源供給システムは、使用者ＩＤを記憶したＩＣタグを電源プラグに備えている。この電源プラグを電源コンセントに挿入したときに、タグ読取装置によりＩＣタグから使用者ＩＤを読取り、その使用者ＩＤがタグデータベースに登録されているか否かを確認する。登録を確認すると、電源コンセントから電源プラグに商用電源が供給される。
【特許文献１】特開２００６−２４４８１８号公報
【発明の開示】
【発明が解決しようとする課題】
【０００４】
特許文献１に記載されている電源供給システムは、電源プラグのＩＣタグから使用者ＩＤを読取るタグ読取装置が必要になり、構成が複雑化する。また、ＩＣタグから使用者ＩＤを読取るのは比較的簡単に行えるために、セキュリティが万全でないという問題がある。
【０００５】
そこで、この発明は、比較的簡単な構成で盗電を防止できるようにした電源供給システムを提供することを目的とする。
【課題を解決するための手段】
【０００６】
この発明は、電源プラグが複数の電源コンセントのいずれかに挿入されたときに電源を供給するか否かを制御するための電源供給システムである。このシステムは、電力線搬送通信によって電源プラグに電源供給が許容されていることを示す識別情報とプラグ番号とを設定し、電源コンセントに識別情報とコンセント番号とを設定するための設定手段を備え、電源プラグは、設定手段および電源コンセントとの間で電力線搬送通信を行うためのプラグ側電力線搬送通信手段と、電源コンセントに挿入することによって電源コンセントから供給される電源を受け、プラグ側電力線搬送通信手段によって電力線搬送通信で電源供給を許容することを示す識別情報を電源コンセントに送信するプラグ側制御手段とを備える。
電源コンセントは、電源プラグとの間で電力線搬送通信を行うためのコンセント側電力線搬送通信手段と、電源プラグに電源を供給し、コンセント側電力線搬送通信手段を介して電力線搬送通信により電源プラグから電源供給が許容されていることを示す識別情報が送信されてきたことに応じて、送信されてきた識別情報と予め定める識別情報とに基づいて、電源プラグへの電源の供給または遮断を制御するコンセント側制御手段とを備える。
コンセント側制御手段は、電源プラグが電源の供給を許容されているか否かを示す識別データ、および、予め割り当てられた識別データに基づいて電源プラグに対する電源の供給又は遮断を行い、識別データは、プラグ側電力線搬送通信手段から送信され、電源プラグが電力線を介して電源プラグから電力を供給してもよいか否かを示すデータである。
【０００７】
電力線搬送通信を用いることにより、電源プラグと電源コンセントとの間で特殊な通信手段を用いる必要がなくなる。また、電源プラグから電力線搬送通信で送られてきた識別情報が、電力供給が許容されていることを示す識別情報であることを認識したときのみ電源プラグに電源を供給することができるため、その識別情報が付与されていない電源プラグが電源コンセントに挿入されても電源が供給されることがなく盗電を防止できる。
【０００８】
より好ましくは、電源コンセントは、電源プラグが挿入されたことを検知する検知手段を含み、コンセント側制御手段は、検知手段によって電源プラグが挿入されたことが検知されたことに応じて、電源プラグとの間でコンセント側電力線搬送通信手段により電力線搬送通信を確立する通信確立手段を含む。
【０００９】
より好ましくは、コンセント側制御手段は、電源プラグへの電源の供給または遮断を制御する供給遮断制御部と、検知手段によって電源プラグの挿入されたことが検知されたことに応じて、供給遮断制御部により電源の供給を開始させ、通信確立手段によって電力線搬送通信を確立した後、検知手段が電源プラグの挿入されていないことを検知したことに応じて、供給遮断制御部によって、電源プラグへの電源の供給を遮断するように制御する電源供給制御手段とを含む。
【００１０】
電源プラグの挿入されていないことを検知した後は、電源コンセントへの電源の供給を停止することにより、第３者が勝手に電源プラグを電源コンセントに挿入しても、電源が供給されることはないので、盗電を防止できる。
【００１１】
より好ましくは、電源プラグは、電源供給が許容されていることを示す識別情報を記憶するプラグ側記憶手段を備え、設定手段は、コンセント側記憶手段および、プラグ側記憶手段に記憶させる電源供給が許容されていることを示す識別情報を設定する。
【００１２】
電力供給が許容されていることを示す識別情報をコンセント側記憶手段に予め記憶しておくことにより、電源プラグから送信されてきた識別情報が、電力供給が許容されていることを示す識別情報であるかの判断が容易になる。
【００１３】
より好ましくは、電源供給システムはコンピュータを含み、電源コンセントは、ネットワークに接続するためのコンセント側ネットワークインターフェース部と、コンセント側ネットワークインターフェース部を介して、電源供給が許容されていることを示す識別情報を前記コンピュータへ送信する送信手段とを備え、コンピュータは、ネットワークに接続するためのコンピュータ側ネットワークインターフェース部と、電源供給が許容されていることを示す識別情報に関連する所定の情報を記憶するコンピュータ側記憶手段と、送信手段により送信された電源供給が許容されていることを示す識別情報が、コンピュータ側記憶手段により記憶した所定の情報に該当するか否かを判断する判断手段と、判断手段により判断した結果に応じて、所定の動作を実行する実行手段とを備える。
【００１４】
こうすることにより、電源供給が許容されていることを示す識別情報が、所定の情報、例えば盗難車の情報に該当するか否かに応じて、所定の動作を実行することができる。その結果、盗難車の発見等を容易に行うことができる。
【発明の効果】
【００２１】
この発明に係る電源コンセントは、電力線搬送通信を用いることにより、電源プラグと電源コンセントとの間で特殊な通信手段を用いる必要がなくなる。また、電源プラグから電力線搬送通信で送られてきた識別情報が、電力供給が許容されていることを示す識別情報であることを認識したときのみ電源プラグに電源を供給することができるため、その識別情報が付与されていない電源プラグが電源コンセントに挿入されても電源が供給されることがなく盗電を防止できる。
【００２２】
また、この発明に係る電源プラグは、電源供給が許容されていることを示す識別情報を電源コンセントに送信することで、電源の供給を受けることができる。
【００２３】
また、この発明に係る電源供給装置は、電力線搬送通信を用いることにより、電源プラグと電源コンセントとの間で特殊な通信手段を用いる必要がなくなる。また、電源供給装置は、電源プラグから電力線搬送通信で送られてきた識別情報が、電力供給が許容されていることを示す識別情報であることを認識したときのみ電源プラグに電源を供給することができるため、その識別情報が付与されていない電源プラグが電源コンセントに挿入されても電源が供給されることがなく盗電を防止できる。
【００２４】
また、この発明に係る電源供給システムは、電源供給が許容されていることを示す識別情報が、所定の情報、例えば盗難車の情報に該当するか否かに応じて、所定の動作を実行することができる。その結果、盗難車の発見等を容易に行うことができる。
【発明を実施するための最良の形態】
【００２５】
図１は、この発明の一実施形態における電源コンセントと電源プラグとを含む電源供給装置５と、設定部２とを示すブロック図である。
【００２６】
図１において、電源供給装置５は、電源コンセントとしての電源コンセント部３と、電源コンセント部３に挿入される電源プラグとしての電源プラグ部４とを含む。設定部２は、建物１内に設けられており、設定手段として作動する。設定部２は、電源プラグ部４への電源供給を許容するか否かを識別するための識別情報としてのＩＤ番号を電源コンセント部３および電源プラグ部４に設定するために設けられている。電源ケーブル１０ａには、１００Ｖの商用の電源が供給される。電源ケーブル１０ａは、設定部２と電源コンセント部３とに接続されている。
【００２７】
設定部２は、制御部２１と、電力線搬送通信手段として作動するＰＬＣ（Ｐｏｗｅｒ  Ｌｉｎｅ  Ｃｏｍｍｕｎｉｃａｔｉｏｎ）ブロック２２と、メモリ２３と、操作部２４とを含む。
【００２８】
制御部２１は、操作部２４から電源コンセント部３のコンセント番号と、電源プラグ部４のプラグ番号と、ＩＤ番号とが入力されると、コンセント番号と、プラグ番号と、ＩＤ番号とをメモリ２３に記憶させる。ここで、メモリ２３にコンセント番号と、プラグ番号と、ＩＤ番号とを記憶させるのは、電源プラグ部４に対して、電源供給を許容するか否かを管理等するためである。また、制御部２１は、ＰＬＣブロック２２によりコンセント番号とプラグ番号とＩＤ番号とを電源ケーブル１０ａ，１０ｂを介して電源コンセント部３および電源プラグ部４に電力線搬送通信により伝送するための制御を行なう。
【００２９】
ＰＬＣブロック２２は、電源の電源ケーブル１０ａに高周波信号を搬送波として重畳し、電源ケーブル１０ａを伝送路として、電源コンセント部３のＰＬＣブロック３２との間で、双方向で電力線搬送通信を行なう。電力線搬送通信には、スペクトラム拡散方式や、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等がある。この実施形態においては、スペクトラム拡散方式を用いる。
【００３０】
スペクトル拡散方式は、送信側で狭帯域の信号を拡散符号を用いて広帯域へ拡散して送信する方式である。受信側では送信側と逆の操作を行い、同じ拡散符号を用いて元の狭帯域の信号を復元する。スペクトル拡散方式においては、狭帯域の雑音は受信側での逆拡散により広帯域のレベルが低下した雑音となるため、各種狭帯域の雑音に強い。また、送信側での拡散により、信号のピーク値を低くできるため、漏洩電界のピーク値漏洩低減が可能である。
【００３１】
電源コンセント部３は、端子板３０と、コンセント側制御手段、通信確立手段および電源供給制御手段として作動する制御部３１と、コンセント側電力線搬送通信手段として作動するＰＬＣブロック３２と、エンベデッドメモリであって、コンセント側記憶手段として作動するメモリ３３と、検知手段として作動する検知回路３４と、供給遮断制御部として作動する電源遮断制御部３５とを含む。また、電源コンセント部３は、複数設けられており、例えば、建物１の外壁面等に複数設けられている。
【００３２】
端子板３０には、電源プラグ部４の差込端子が挿入される。制御部３１は、ＰＬＣブロック３２と、電源遮断制御部３５とを制御するとともに、メモリ３３の書込み読出しを制御する。ＰＬＣブロック３２は、電源ケーブル１０ａを介して設定部２のＰＬＣブロック２２との間で電力線搬送通信を行なうとともに、電源ケーブル１０ｂを介して電源プラグ部４のＰＬＣブロック４２との間で電力線搬送通信を行う。メモリ３３は、ＩＤ番号を記憶する。このＩＤ番号は、挿入された電源プラグ部４が電源供給を許容されているものであるか否かを電源コンセント部３側で判別するためのものである。例えば、電源コンセント部３において、複数の電源プラグ部４の電源供給を許容している場合には、メモリ３３は、複数の電源プラグ部４が記憶しているＩＤ番号と同じ複数のＩＤ番号を記憶する。また、メモリ３３は、コンセント番号を記憶する。コンセント番号とは、例えば、出荷時に予め付与される製造番号やシリアル番号等であって、複数の電源コンセント部３のそれぞれを識別するためのものである。検知回路３４は、端子板３０に電源プラグ部４の差込端子が挿入されているか否かを検知する。検知回路３４は、例えば、電源プラグ部４が端子板３０に挿入されているか否かをパルス信号によって検知する。具体的には、電源プラグ部４へパルス信号を送信し、送信したパルス信号に対する応答が返ってくると、検知回路３４は、電源プラグ部４が端子板３０に挿入されていると検知する。電源遮断制御部３５は、制御部３１の制御に応じて、端子板３０への電源の供給または遮断を行なう。
【００３３】
電源コンセント部３は、登録モードと、通常モードと、常時通電モードとを具備する。登録モードとは、メモリ３３にＩＤ番号を記憶することが可能な状態であることを言う。また、通常モードとは、メモリ３３に記憶したＩＤ番号と一致する電源プラグ部４にのみ通電が可能な状態であることを言う。また、常時通電モードとは、メモリ３３に記憶したＩＤ番号に一致するか否かに関わらず、任意の電源プラグ部４に通電が可能な状態であることを言う。
【００３４】
電源プラグ部４は、プラグ側制御手段として作動する制御部４１と、プラグ側電力線搬送通信手段として作動するＰＬＣブロック４２と、エンベデッドメモリであって、プラグ側記憶手段として作動するメモリ４３とを含む。また、電源プラグ部４は、複数設けられている。
【００３５】
制御部４１は、ＰＬＣブロック４２を制御するとともに、メモリ４３の書込み読出しを制御する。ＰＬＣブロック４２は、電源ケーブル１０ｂを介して電源コンセント部３のＰＬＣブロック３２との間で電力線搬送通信を行なう。メモリ４３は、ＩＤ番号を記憶する。このＩＤ番号は、上記した電源コンセント部３に電源プラグ部４を挿入した際に、その電源プラグ部４が電源供給を許容されているものであるか否かを電源コンセント部３側で判別するためのものである。例えば、複数の電源プラグ部４のそれぞれにおいて、異なる固有のＩＤ番号を記憶する。また、メモリ４３は、プラグ番号を記憶する。プラグ番号とは、例えば、出荷時に予め付与される製造番号やシリアル番号等であって、複数の電源プラグ部４のそれぞれを識別するためのものである。
【００３６】
図２は、図１に示した電源コンセント部３と電源プラグ部４との接続状態を示す図である。図２において、電源ケーブル１０ａの芯線は、受け端子３６，３７に接続されている。受け端子３６，３７には、端子板３０を介して電源プラグ４の差込端子４４，４５が挿入される。電源プラグ部４が電源コンセント部３の端子板３０に挿入されると、電源ケーブル１０ａから受け端子３６，３７および電源プラグ部４の差込端子４４，４５を介して電源ケーブル１０ｂに電源が供給される。
【００３７】
ここで、設定部２が、電源コンセント部３と電源プラグ部４とにＩＤ番号を設定する場合について説明する。図３は、電源コンセント部３と電源プラグ部４とにＩＤ番号を設定するための動作を示すフローチャートであり、（Ａ）は設定部２の動作を示し、（Ｂ）は電源コンセント部３の動作を示し、（Ｃ）は電源プラグ部４の動作を示す。
【００３８】
ＩＤ番号の設定時には、設定部２のＰＬＣブロック２２と、電源コンセント部３のＰＬＣブロック３２との間での電力線搬送通信が確立される。また、電源プラグ部４が電源コンセント部３の端子板３０に挿入されると、検知回路３４は、電源プラグ部４が挿入されたことを検知し、電源プラグ部４が挿入されたことを示す検知信号を制御部３１に出力する。そして、制御部３１は、電源プラグ部４が挿入されたことを検知して、電源遮断制御部３５をオンさせ、電源を電源ケーブル１０ａから端子板３０に通電させる。これにより、電源プラグ部４に電源が供給され、電源コンセント部３のＰＬＣブロック３２と、電源プラグ部４のＰＬＣブロック４２との間での電力線搬送通信が確立される。また、制御部３１は、登録モードに移行する。
【００３９】
まず、利用者は、予め用意されたＩＤ番号を設定するコンセント番号の一覧等を参照して、設定部２の操作部２４からコンセント番号とＩＤ番号とを入力する。コンセント番号は、複数の電源コンセント部３が設けられている場合、それぞれを識別するために入力される。ＩＤ番号は、電源供給が許容されている電源プラグ部４を識別するために入力される。
【００４０】
設定部２の制御部２１は、図３（Ａ）に示すステップ（図示ではＳＰと略称する。）ＳＰ１において、コンセント番号が入力されたか否かを判別しており、コンセント番号が入力されたことを判別すると、ステップＳＰ２において、ＩＤ番号が入力されたか否かを判別する。ＩＤ番号が入力されたことを判別すると、ステップＳＰ３において、コンセント番号とＩＤ番号とをメモリ２３に書込むとともに、ＰＬＣブロック２２によって電源ケーブル１０ａに送出させる。ＰＬＣブロック２２は、電源ケーブル１０ａを介して電源コンセント部３のＰＬＣブロック３２との間で、電力線搬送通信を確立し、コンセント番号とＩＤ番号とを送出する。
【００４１】
なお、電力線搬送通信の確立とは、送信側である設定部２のＰＬＣブロック２２から、電力線搬送通信により送信されたデータを受信側である電源コンセント部３のＰＬＣブロック３２において復元できたことを言う。
【００４２】
電源コンセント部３のＰＬＣブロック３２は、設定部２のＰＬＣブロック２２から送出されたコンセント番号とＩＤ番号とを受信して制御部３１に出力する。制御部３１は、図３（Ｂ）に示すステップＳＰ１１において、複数の電源コンセント部３のコンセント番号のうち、対応するコンセント番号を受信したか否かを判別し、受信したことを判別すると、ステップＳＰ１２において、ＩＤ番号を受信したか否かを判別する。制御部３１は、ＩＤ番号を受信したことを判別すると、ステップＳＰ１３において、受信したＩＤ番号をメモリ３３に書込む。
【００４３】
さらに、利用者は、設定部２の操作部２４からプラグ番号とＩＤ番号とを入力する。ＩＤ番号は、電源コンセント部３に設定したものと同じＩＤ番号である。
【００４４】
設定部２の制御部２１は、ＳＰ４において、プラグ番号が入力されたか否かを判別しており、プラグ番号が入力されたことを判別すると、ステップＳＰ５において、ＩＤ番号が入力されたか否かを判別する。ＩＤ番号が入力されたことを判別すると、制御部２１は、ステップＳＰ６において、プラグ番号とＩＤ番号とをメモリ２３に書込むとともに、プラグ番号とＩＤ番号とをＰＬＣブロック２２によって電源ケーブル１０ａに送出させる。ＰＬＣブロック２２は、電源ケーブル１０ａを介してプラグ番号とＩＤ番号とを送出する。
【００４５】
電源プラグ部４のＰＬＣブロック４２は、設定部２のＰＬＣブロック２２との間で電力線搬送通信を確立し、プラグ番号とＩＤ番号とを受信して制御部４１に出力する。制御部４１は、図３（Ｃ）に示すステップＳＰ２１において、複数の電源プラグ部４のプラグ番号のうち、対応するプラグ番号を受信したか否かを判別しており、プラグ番号を受信したことを判別すると、ステップＳＰ２２において、ＩＤ番号を受信したか否かを判別する。ＩＤ番号を受信したことを判別すると、ステップＳＰ２３において、ＩＤ番号をメモリ４３に書込む。
【００４６】
このようにして、電源プラグ部４を電源コンセント部３に挿入して、設定部２で電源コンセント部３と、電源プラグ部４とに電源の使用を許諾するための識別情報であるＩＤ番号を設定できる。また、ＩＤ番号を書込むメモリ３３，４３は、エンベデッドメモリであることから、セキュリティを向上させることができる。ＩＤ番号の設定を完了すると、利用者は電源プラグ部４を電源コンセント部３から引き抜いておく。
【００４７】
なお、電源プラグ部４に設定するＩＤ番号は、設定部２から電源プラグ部４に設定するようにしたが、設定部２から電源コンセント部３の制御部３１を介して電源プラグ部４に設定するようにしてもよい。すなわち、設定部２からコンセント番号と、プラグ番号と、ＩＤ番号とを入力してこれらを、電源コンセント部３に一旦送出し、電源コンセント部３のＰＬＣブロック３２と、電源プラグ部４のＰＬＣブロック４２との間で電力線搬送通信を確立し、プラグ番号と、ＩＤ番号とを電源コンセント部３から電源プラグ部４に送出する。
【００４８】
また、コンセント番号と、ＩＤ番号とを設定する前に、電源プラグ部４を電源コンセント部３の端子板３０に挿入する例について説明したが、これに限ることなく、コンセント番号と、ＩＤ番号とを設定した後、電源プラグ部４を電源コンセント部３の端子板３０に挿入するようにしてもよい。
【００４９】
図４は、この発明の一実施形態における電源供給装置５の動作を説明するためのフローチャートである。例えば、利用者が所有しているプラグインハイブリッド車のバッテリを充電するなどの実際の使用に際して、図２に示すように電源プラグ部４を電源コンセント部３の端子板３０に挿入する。電源プラグ部４を端子板３０に挿入すると、検知回路３４は、電源プラグ部４が挿入されたことを検知して、電源プラグ部４が挿入されたことを示す検知信号を制御部３１に出力する。
【００５０】
制御部３１は、図４に示すステップＳＰ３１において、電源プラグ部４が挿入されたことを検知すると、ステップＳＰ３２において、電源遮断制御部３５をオンさせ、電源を電源ケーブル１０ａから端子板３０に通電させる。これにより、電源プラグ部４に電源が供給され、電源コンセント部３のＰＬＣブロック３２と、電源プラグ部４のＰＬＣブロック４２との間での電力線搬送通信が確立される。また、制御部３１は、上記した通常モードまたは常時通電モードに移行する。この実施形態においては、通常モードに移行する。
【００５１】
電力線搬送通信が確立すると、電源プラグ部４の制御部４１はメモリ４３に書込まれているＩＤ番号を読み出し、ＰＬＣブロック４２によってＩＤ番号を電力線搬送通信により電源ケーブル１０ｂに送出する。
【００５２】
電源コンセント部３の制御部３１は、ステップＳＰ３３において、電力線搬送通信が確立したか否かを検知していて、電力線搬送通信が確立したことを検知すると、ステップＳＰ３４において、ＩＤ番号が送出されたか否かを検知する。制御部３１は、ＩＤ番号の送出を検知すると、ステップＳＰ３５において、メモリ３３に書込まれているＩＤ番号と、電源プラグ部４から送出されてきたＩＤ番号とが一致しているか否かを照合する。制御部３１は、ＩＤ番号の一致を判別すると、ステップＳＰ３６において電源プラグ４の挿入を検知しなくなったことを判別するまで、電源遮断制御部３５による通電を続行して、電源プラグ部４に電源を供給し続ける。
【００５３】
なお、上記ステップＳＰ３３において、電力線搬送通信が確立したことが判別されなかったとき、ステップＳＰ３４においてＩＤ番号の送出が検知できなかったとき、ステップＳＰ３５において照合が検知できなかったときはそれぞれステップＳＰ３７に進んで、電源遮断制御部３５をオフにして通電を停止する。
【００５４】
利用者は、プラグインハイブリッド車のバッテリへの充電が終了すると、電源プラグ部４を端子板３０から引抜く。電源プラグ部４が引抜かれると、差込端子４４，４５も引抜かれ、制御部３１はステップＳＰ３６において、検知回路３４により、電源プラグ部４が引抜かれたことを判別するので、ステップＳＰ３７において、電源遮断制御部３５をオフにして、電源プラグ部４への通電を停止する。
【００５５】
そして、ステップＳＰ３８において、電源プラグ部４が挿入されているか否かを判別し、電源プラグ部４が抜取られていて電源プラグ部４の挿入されていないことが判別されると、初期状態に戻る。電源プラグ部４が電源コンセント部３に挿入されたままであれば、その状態、すなわち、通電を停止した状態を維持する。これは、一旦通電を終了すると、電源プラグ部４を抜取った後、再度電源プラグ部４を電源コンセント部３に挿入しなければ通電を行えないようにするためである。
【００５６】
上述のように、この発明の実施形態によれば、電源供給が許容されていない電源プラグが電源コンセント部３に挿入されても、ＩＤ番号を照合できないので、電源供給が禁止され、盗電を防止できる。しかも、電力線搬送通信を使用してＩＤ番号を送出するようにしたので、他に通信媒体を用いる必要がなく、構成を簡略化できる。
【００５７】
なお、電源コンセント部３には、複数の異なる電源プラグ部４を挿入可能にし、設定部２により、異なるＩＤ番号を各電源プラグ部４に割り当てておき、各ＩＤ番号を電源コンセント部３のメモリ３３に記憶しておいてもよい。そうすることによって、いずれかの電源プラグ部４が電源コンセント部３に挿入されてＩＤ番号を照合できたときに、通電を行うようにすることができる。また、ＩＤ番号を各電源プラグ部４ごとに異ならせることなく、共通のＩＤ番号を割り当てておいてもよい。
【００５８】
また、上述の実施例では、検知回路３４は、電源プラグ部４が端子板３０に挿入されているか否かの検知を、パルス信号によって検知する例について説明したが、これに限ることなく、電源プラグ部４が端子板３０に挿入されているか否かを光学センサによって検知してもよいし、マイクロスイッチ等によって機械的に検知してもよい。
【００５９】
また、上述の実施例では、設定部２のメモリ２３にコンセント番号と、プラグ番号と、ＩＤ番号とを記憶する例について説明したが、電源プラグ部４に対して、電源供給を許容するか否かを管理等しなくてもよい場合には、記憶しなくてもよい。
【００６０】
また、上述の実施例では、電源供給装置５は、設定部２を含まない例について説明したが、これに限ることなく、設定部２を含んでもよい。
【００６１】
また、上述の実施例では、電力線搬送通信には、スペクトラム拡散方式を用いる例について説明したが、ＯＦＤＭ方式を用いてもよい。なお、ＯＦＤＭ方式は、多数の搬送波を周波数軸上で直交多重した伝送方式であり、周波数利用効率が高く、高速化が容易である。ＯＦＤＭ方式においては、搬送波毎の送信制御が可能であるため、既存無線局への影響が特に懸念される帯域に関しては、該当搬送波の送信を停止（所謂ノッチ）することで、既存無線局との共存が可能である。
【００６２】
また、上述の実施例では、電源コンセント部３は、登録モードと、通常モードと、常時通電モードとを具備し、例えば、ＩＤ番号の設定時には、登録モードへ移行する例について説明したが、これに限ることなく、特にモードを具備することなく、ＩＤ番号の設定等を行ってもよい。
【００６３】
また、上述の実施例では、電源コンセント部３および電源プラグ部４は複数設けられている例について説明したが、これに限ることなく、それぞれ１個である場合にも適用することができる。具体的には、ＩＤ番号の設定時において、１個の電源コンセント部３が設けられている場合には、コンセント番号の入力を省略し、ＩＤ番号のみを入力する。また、１個の電源プラグ部４が設けられている場合には、プラグ番号の入力を省略し、ＩＤ番号のみを入力する。
【００６４】
また、上述の実施例では、予め用意されたＩＤ番号を設定するコンセント番号の一覧等を参照することにより、設定部２の操作部２４からコンセント番号を入力する例について説明したが、これに限ることなく、例えば、設定部２のＰＬＣブロック２２と、電源コンセント部３のＰＬＣブロック３２との間での電力線搬送通信が確立した際に、電源コンセント部３から自身のコンセント番号を設定部２に通知することにより、通知されたコンセント番号を参照して入力してもよい。
【００６５】
また、上述の実施例では、設定部２を設けることにより、設定部２のＰＬＣブロック２２と電源コンセント部３のＰＬＣブロック３２との間で電力線搬送通信を行ってＩＤ番号を設定する例について説明したが、これに限ることなく、他の実施形態として、設定部を設けることなく、電源コンセント部に外部装置ＩＦ（インターフェース）部を設けることにより、外部装置ＩＦ部を介して、ＩＤ番号を設定してもよい。図５は、この発明の他の実施形態における電源供給装置５５を示すブロック図である。
【００６６】
図５を参照して、電源供給装置５５は、電源コンセント部５３と、電源プラグ部５４とを含む。この実施形態においては、電源コンセント部５３と、電源プラグ部５４とは、それぞれ１個設けられている。電源コンセント部５３は、外部装置ＩＦ部６６を含む。外部装置ＩＦ部６６は、例えば、キーボードや表示画面（ディスプレイ）のような外部装置と接続するためのものである。すなわち、キーボードや表示画面は、外部装置ＩＦ部６６を介して、電源コンセント部５３に装着される。なお、その他の構成要素については、上記の実施形態と同様であるため、説明は省略する。
【００６７】
ここで、外部装置ＩＦ部６６を介して、電源コンセント部５３と電源プラグ部５４とにＩＤ番号を設定する場合について説明する。まず、利用者は、電源プラグ部５４を電源コンセント部５３の端子板６０に挿入する。電源プラグ部５４を端子板６０に挿入すると、検知回路６４は、電源プラグ部５４が挿入されていることを検知して、電源プラグ部５４が挿入されたことを示す検知信号を制御部６１に出力する。
【００６８】
制御部６１は、電源プラグ部５４が挿入されたことを検知すると、電源遮断制御部６５をオンさせ、電源を電源ケーブル５６ａから端子板６０に通電させる。これにより、電源プラグ部５４に電源が供給され、電源コンセント部５３のＰＬＣブロック６２と、電源プラグ部５４のＰＬＣブロック５８との間での電力線搬送通信が確立される。また、制御部６１は、登録モードに移行する。
【００６９】
そして、利用者によって、電源コンセント部５３のＩＤ番号を設定するよう選択され、キーボードからＩＤ番号を入力される。そうすると、制御部６１は、入力されたＩＤ番号を電源コンセント部５３のメモリ６３に書込む。
【００７０】
さらに、利用者によって、電源プラグ部５４のＩＤ番号を設定するよう選択され、キーボードからＩＤ番号を入力される。そうすると、制御部６１は、入力されたＩＤ番号をＰＬＣブロック６２によって電源ケーブル５６ａに送出させる。ＰＬＣブロック６２は、電源ケーブル５６ａを介してＩＤ番号を送出する。電源プラグ部５４のＰＬＣブロック５８は、電源コンセント部５３のＰＬＣブロック６２との間で電力線搬送通信を確立し、ＩＤ番号を受信して制御部５７に出力する。制御部５７は、ＩＤ番号を電源プラグ部５４のメモリ５９に書込む。
【００７１】
こうすることにより、設定部を設けることなく、簡易な構成で、ＩＤ番号を設定することができる。
【００７２】
また、上述の実施例では、ＩＤ番号は、設定部や外部装置を用いて、利用者によって設定される例について説明したが、これに限ることなく、出荷時に予め付与される製造番号やシリアル番号のようなものであってもよい。
【００７３】
また、上述の実施例では、コンセント番号とプラグ番号とは、出荷時に予め付与される製造番号やシリアル番号である例について説明したが、これに限ることなく、ＩＤ番号を設定する場合と同様に、設定部や外部装置を用いて設定してもよい。
【００７４】
次に、この発明のさらに他の実施形態における電源供給システムについて説明する。図６は、この発明のさらに他の実施形態における電源供給システムの一例を示す図である。
【００７５】
図６を参照して、電源供給システムは、電源コンセント部７３および電源プラグ部７４を含む電源供給装置７５と、コンピュータ（パソコン）８８とを備える。
【００７６】
電源コンセント部７３は、ネットワーク８７に接続するためのコンセント側ネットワークＩＦ部８６と、送信手段として作動する制御部８１を含む。コンピュータ８８は、ネットワーク８７に接続されており、ネットワーク８７に接続するためのコンピュータ側ネットワークＩＦ部７１と、コンピュータ８８全体を制御し、判断手段および実行手段として作動する制御部７０と、コンピュータ記憶手段として作動するメモリ７２とを含む。メモリ７２は、ＩＤ番号に関連する所定の情報を記憶する。なお、その他の構成要素については、上記の実施形態と同様であるため、説明は省略する。
【００７７】
図７は、この発明のさらに他の実施形態における電源供給システムの動作を説明するためのフローチャートであり、（Ａ）は電源コンセント部７３の動作を示し、（Ｂ）はコンピュータ８８の動作を示す。
【００７８】
図７に示すステップＳＰ４１において、電源プラグ部７４が挿入されたことを検知すると、ステップＳＰ４２において、電源遮断制御部８５をオンさせ、電源を電源ケーブル７６ａから端子板８０に通電させる。これにより、電源プラグ部７４に電源が供給され、電源コンセント部７３のＰＬＣブロック８２と、電源プラグ部７４のＰＬＣブロック７８との間での電力線搬送通信が確立される。ここで、制御部８１は、常時通電モードに移行する。
【００７９】
電力線搬送通信が確立すると、電源プラグ部７４の制御部７７はメモリ７９に書込まれているＩＤ番号を読み出し、ＰＬＣブロック７８によってＩＤ番号を電力線搬送通信により電源ケーブル７６ｂに送出する。
【００８０】
電源コンセント部７３の制御部８１は、ステップＳＰ４３において、電力線搬送通信が確立したか否かを検知していて、電力線搬送通信が確立したことを検知すると、ステップＳＰ４４において、ＩＤ番号が送出されたか否かを検知する。制御部８１は、ＩＤ番号の送出を検知すると、ステップＳＰ４５において、コンセント側ネットワークＩＦ部８６を介して、コンピュータ８８にＩＤ番号を送信する。
【００８１】
そうすると、コンピュータ８８は、ＳＰ５１において、メモリ７２に記憶したＩＤ番号に関連する所定の情報、例えば、盗難車の情報と照合して、送信されたＩＤ番号が、盗難車に該当するか否かを判断する。具体的には、送信されたＩＤ番号には、車の製造番号が関連付けられており、その製造番号から盗難車に該当するか否かを判断する。
【００８２】
そして、判断した結果に応じて、所定の動作を実行する。具体的には、盗難車に該当する場合には、ＳＰ５２において、コンピュータ側ネットワークＩＦ部７１を介して、通電を継続するよう、電源コンセント部７３に指示すると共に、警察へ通報する。また、該当しない場合には、ＳＰ５３において、コンピュータ側ネットワークＩＦ部７１を介して、そのまま通電を継続するよう、電源コンセント部７３に指示する。すなわち、コンピュータ８８は、盗難車等を管理しているセンタである。
【００８３】
なお、上記ステップＳＰ４３において、電力線搬送通信が確立したことが判別されなかったとき、ステップＳＰ４４においてＩＤ番号の送出が検知できなかったときはそれぞれステップＳＰ４６に進んで、電源遮断制御部８５をオフにして通電を停止する。
【００８４】
こうすることにより、電源供給が許容されていることを示す識別情報が、盗難車の情報に該当するか否かに応じて、所定の動作、ここでは警察に通報することができる。その結果、盗難車の発見等を容易に行うことができる。
【００８５】
なお、上述の実施例では、コンピュータは、所定の動作として、盗難車に該当する場合には、通電を継続するよう、電源コンセント部７３に指示すると共に、警察へ通報する例について説明したが、これに限ることなく、通電を終了するよう、電源コンセント部７３に指示してもよい。
【００８６】
また、上述の実施例では、電源供給システムは、設定部を含まない例について説明したが、これに限ることなく、設定部を含んでもよい。この場合、設定部は、ネットワークに接続するためのネットワークＩＦ部を含み、設定部のネットワークＩＦ部を介して、コンピュータにＩＤ番号を送信してもよい。
【００８７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００８８】
【図１】この発明の一実施形態における電源コンセントと電源プラグとを含む電源供給装置と、設定部とを示すブロック図である。
【図２】図１に示した電源コンセント部と電源プラグ部との接続状態を示す図である。
【図３】電源コンセント部と電源プラグ部とにＩＤ番号を設定するための動作を示すフローチャートである。
【図４】この発明の一実施形態における電源供給装置の動作を説明するためのフローチャートである。
【図５】この発明の他の実施形態における電源供給装置を示すブロック図である。
【図６】この発明のさらに他の実施形態における電源供給システムの一例を示す図である。
【図７】この発明のさらに他の実施形態における電源供給システムの動作を説明するためのフローチャートである。
【符号の説明】
【００８９】
１  建物、２  設定部、３，５３，７３  電源コンセント部、４，５４，７４  電源プラグ部、５，５５，７５  電源供給装置、１０ａ，１０ｂ，５６ａ，５６ｂ，７６ａ，７６ｂ  電源ケーブル、２１，３１，４１，５７，６１，７０，７７，８１  制御部、２２，３２，４２，５８，６２，７８，８２  ＰＬＣブロック、２３，３３，４３，５９，６３，７２，７９，８３  メモリ、２４  操作部、３０，６０，８０  端子板、３４，６４，８４  検知回路、３５，６５，８５  電源遮断制御部、３６，３７  受け端子、４４，４５  差込端子、６６  外部装置ＩＦ部、７１，８６  ネットワークＩＦ部、８７  ネットワーク、８８  コンピュータ。
【図１】
0005380701.tif 000002
【図２】
0005380701.tif 000003
【図３】
0005380701.tif 000004
【図４】
0005380701.tif 000005
【図５】
0005380701.tif 000006
【図６】
0005380701.tif 000007
【図７】
0005380701.tif 000008